(57)【特許請求の範囲】
【請求項１】
上段側及び下段側一対の門型フレーム（Ａ）、（Ｂ）と、上記各門型フレーム（Ａ）、（Ｂ）間に着脱自在に架設した左右一対のサイドフレーム（Ｃ）、（Ｄ）とからなる立体状の基本土台フレーム（６）を法面（Ｔ）の任意の位置に起立させ、
上記基本土台フレーム（６）を中心にして上記基本土台フレーム（６）から法尻方向又は法肩方向に沿って一つ又は複数の傾斜方向の土台フレーム（Ｅ１）、（Ｅ２）、（Ｅ３）・・・（Ｅｎ）を順次連結し、
更に上記基本土台フレーム（６）と上記各傾斜方向の土台フレーム（Ｅ１）、（Ｅ２）、（Ｅ３）・・・（Ｅｎ）から水平方向に沿って一つ又は複数の水平方向の土台フレーム（Ｆ１）、（Ｆ２）、（Ｆ３）・・・（Ｆｎ）を順次連結する
ことを特徴とする法面の足場組立方法。
【請求項２】
上段側及び下段側一対の門型フレーム（Ａ）、（Ｂ）と、上記各門型フレーム（Ａ）、（Ｂ）間に着脱自在に架設した左右一対のサイドフレーム（Ｃ）、（Ｄ）とからなる立体状の基本土台フレーム（６）を法面（Ｔ）の任意の位置に起立させ、
上記基本土台フレーム（６）を中心にして上記基本土台フレーム（６）から法尻方向又は法肩方向に沿って一つ又は複数の傾斜方向の土台フレーム（Ｅ１）、（Ｅ２）、（Ｅ３）・・・（Ｅｎ）を順次連結し、
更に上記基本土台フレーム（６）と上記各傾斜方向の土台フレーム（Ｅ１）、（Ｅ２）、（Ｅ３）・・・（Ｅｎ）から水平方向に沿って一つ又は複数の水平方向の土台フレーム（Ｆ１）、（Ｆ２）、（Ｆ３）・・・（Ｆｎ）を順次連結し、
次いで上記基本土台フレーム（６）と上記傾斜方向の土台フレーム（Ｅ１）、（Ｅ２）、（Ｅ３）・・・（Ｅｎ）と上記水平方向の土台フレーム（Ｆ１）、（Ｆ２）、（Ｆ３）・・・（Ｆｎ）の一部又は全部に縦支柱（Ｇ）を起立させ、
更に対向する上記縦支柱（Ｇ）、（Ｇ）間に布地（Ｊ）と補強材（Ｋ）を連結する
ことを特徴とする法面の足場組立方法。
【請求項３】
上記基本土台フレーム（６）を法肩（Ｘ）の角に起立させ、上記基本土台フレーム（６）から法尻（Ｙ）に向けて上記傾斜方向の土台フレーム（Ｅ１）、（Ｅ２）、（Ｅ３）・・・（Ｅｎ）を一つ又は複数連結させる
ことを特徴とする請求項１又は２に記載の法面の足場組立方法。
【請求項４】
上記基本土台フレーム（６）を法尻（Ｙ）の角に起立させ、上記基本土台フレーム（６）から法肩（Ｘ）に向けて上記傾斜方向の土台フレーム（Ｅ１）、（Ｅ２）、（Ｅ３）・・・（Ｅｎ）を一つ又は複数連結させる
ことを特徴とする請求項１又は２に記載の法面の足場組立方法。
【請求項５】
上記傾斜方向の土台フレーム（Ｅ１）、（Ｅ２）、（Ｅ３）・・・（Ｅｎ）は、門型フレーム（Ｈ）と、上記門型フレーム（Ｈ）の両側に設けられた左右一対のサイドフレーム（Ｄ１）、（Ｄ１）とで構成されている
ことを特徴とする請求項１、２、３又は４に記載の法面の足場組立方法。
【請求項６】
上記傾斜方向の土台フレーム（Ｅ１）、（Ｅ２）、（Ｅ３）・・・（Ｅｎ）を、上記基本土台フレーム（６）の上記門型フレーム（Ａ）、（Ｂ）に対して法肩方向に沿って配置される上段側及び下段側一対の門型フレーム（Ａ）、（Ｂ）と、上記各門型フレーム（Ａ）、（Ｂ）間に着脱自在に架設した左右一対のサイドフレーム（Ｃ）、（Ｄ）とで構成して上記基本土台フレーム（６）と同一構造に成形しておき、上段側に配置される上記傾斜方向の土台フレーム（Ｅ２）、（Ｅ３）・・・（Ｅｎ）の下方の上記門型フレーム（Ｂ）を下段側に配置されている上記基本土台フレーム（６）又は上記傾斜方向の土台フレーム（Ｅ１）、（Ｅ２）、（Ｅ３）・・・（Ｅｎ）の上方の上記門型フレーム（Ａ）に差し込んで両者を連結する
ことを特徴とする請求項１、２、３又は４に記載の法面の足場組立方法。
【請求項７】
上記各門型フレーム（Ａ）、（Ｂ）、（Ｈ）を左右一対のジャッキベース（７）、（７）上に抜き差し自在に挿入した支柱（１）、（１）と、上記各支柱（１）、（１）間に架設した水平材（２）とで構成している
ことを特徴とする請求項５又は６に記載の法面の足場組立方法。
【請求項８】
上記基本土台フレーム（６）の上記各サイドフレーム（Ｃ）、（Ｄ）をアウターチューブ（３Ａ）と、上記アウターチューブ（３Ａ）内に伸縮自在に挿入したインナーチューブ（３Ｂ）と、上記アウターチューブ（３Ａ）の先端に設けた第１のブラケット（４）と、上記インナーチューブ（３Ｂ）の基端に設けた第２のブラケット（５）とで構成している
ことを特徴とする請求項５、６又は７に記載の法面の足場組立方法。
【請求項９】
上記基本土台フレーム（６）の上段側及び下段側門型フレーム（Ａ）、（Ｂ）における上記支柱（１）の外周に円周方向に沿って複数の係止孔（１７）を形成したフランジ（１０）をそれぞれ設け、上記門型フレーム（Ａ）、（Ｂ）の上記フランジ（１０）にそれぞれ支持片（８）、（９）を取付け、上記各支持片（８）、（９）にそれぞれ上記第１、第２のブラケット（４）、（５）を回転自在に枢着させている
ことを特徴とする請求項７に従属する請求項８に記載の法面の足場組立方法。
【請求項１０】
上記傾斜方向の土台フレーム（Ｅ１）、（Ｅ２）、（Ｅ３）・・・（Ｅｎ）の上記サイドフレーム（Ｄ１）、（Ｄ１）をアウターチューブ（３Ａ）と、上記アウターチューブ（３Ａ）内に伸縮自在に挿入したインナーチューブ（３Ｂ）と、上記アウターチューブ（３Ａ）の先端に設けた第１のブラケット（４）と、上記インナーチューブ（３Ｂ）の基端に設けた第２のブラケット（５）と、上記第１のブラケット（４）の端部に枢着した連結片（１８）と、上記連結片（１８）に取付けた楔（１２）とで構成している
ことを特徴とする請求項５に記載の法面の足場組立方法。
【請求項１１】
上記各門型フレーム（Ａ）、（Ｂ）、（Ｈ）は、それぞれ、左右一対の支柱（１）、（１）と、上記各支柱（１）の外周に円周方向に沿って複数の係止孔（１７）が形成されたフランジ（１０）とを有し、
上記傾斜方向の土台フレーム（Ｅ１）、（Ｅ２）、（Ｅ３）・・・（Ｅｎ）における上記門型フレーム（Ｈ）の上記フランジ（１０）に上向きの扇型支持片（９）を取付け、
上記支持片（９）に上記第２のブラケット（５）を回転自在に枢着させ、
上記楔（１２）を上記基本土台フレーム（６）の上記下段側門型フレーム（Ｂ）のフランジ（１０）の上記係止孔（１７）に嵌合させる
ことを特徴とする請求項１０に記載の法面の足場組立方法。
【発明の詳細な説明】
【技術分野】
【０００１】
本発明は、山岳や丘の傾斜面、道路脇の傾斜面等における法面の工事を行うのに適する足場の組立方法に関する。
【背景技術】
【０００２】
一般に、山岳や丘の傾斜面、道路脇の傾斜面等の法面は地盤が不安定であると風雨、地震等で土砂や岩石が下方に落下する恐れがある。そこで、これを防止するためコンクリート等で地盤を補強して土砂の崩落を防止し、あるいは地盤表面に網を展張して落石を防止し、あるいは崩れた法面の補修、復旧をする工事が行われている。
このような工事には、例えば、特許文献１に示すように法面に沿って土台たる支保工を築き、この支保工に作業床を設置し、作業床上を作業者が歩行し、あるいはこの作業床上に土木機械や工事用の材料、治具等を置いている。
この支保工と作業床とからなる支保工足場は法面上に支柱を多数起立し、各支柱同士を布材や補強材で結合して土台を構築し、この土台上に水平な作業床を設置している。
すなわち、この支保工足場の組立のスタート時は、例えば、図２２（Ａ）に示すように、法面Ｔにジャッキベース１００に差し込んだ単管支柱１０１を傾斜方向と水平方向に沿って起立し、次いで図２２（Ｂ）に示すように、各ジャッキベース１００と単管支柱１０１に設けた多孔のフランジ１０３に布材１０２に設けた楔１０４を差し込み、この布材１０２でそれぞれジャッキベース１００と単管支柱１０１及び単管支柱１０１同士を結合して土台となる支柱を組み付けておく。
そして、この状態を基礎にして他の単管支柱１０１を傾斜方向と水平方向に沿って順次結合して土台を構築し、次いで土台となる各単管支柱１０１上に他の単管支柱１０１を順次上方に向けて結合して櫓状の支保工足場を組み立てるものである。
【先行技術文献】
【特許文献】
【０００３】
【特許文献１】特開２００６−１７６９５１号公報（段落０００２、０００３図１、図２参照）
【発明の概要】
【発明が解決しようとする課題】
【０００４】
上記従来の法面の足場組立方法には特に構造上欠陥があるわけではないが、次のような不具合がある。
すなわち、図２２（Ａ）、（Ｂ）に示す足場の組立方法では単管支柱１０１を一本ずつ法面Ｔ上に起立している為これが転倒する恐れがある。そこで作業者がこの単管支柱１０１を支えておく必要があるからそのための作業者が必要であるばかりでなく、作業が面倒であり、作業スピードも遅くなり作業効率が劣る。
また、傾斜した法面Ｔ上でこの作業を行うので作業者の組立作業が不安定であって単管支柱１０１の結合時にレベルを決めるのに時間が掛るし、この単管支柱１０１が振り回されて危険でもあり、その改善が望まれている。
そこで本発明の目的は、いちいち作業者が土台となる支柱を支えておく必要が無く、作業が安全であり、組立作業のスピードアップを図れる法面の足場の組立方法を提供することである。
【課題を解決するための手段】
【０００５】
上記の目的を達成するため、本発明の手段は、上段側及び下段側一対の門型フレームと、上記各門型フレーム間に着脱自在に架設した左右一対のサイドフレームとからなる立体状の基本土台フレームを法面の任意の位置に起立させ、上記基本土台フレームを中心にして上記基本土台フレームから法尻方向又は法肩方向に沿って一つ又は複数の傾斜方向の土台フレームを順次連結し、更に上記基本土台フレームと上記各傾斜方向の土台フレームから水平方向に沿って一つ又は複数の水平方向の土台フレームを順次連結することを特徴とするものである。同じく、本発明の手段は、上段側及び下段側一対の門型フレームと、上記各門型フレーム間に着脱自在に架設した左右一対のサイドフレームとからなる立体状の基本土台フレームを法面の任意の位置に起立させ、上記基本土台フレームを中心にして上記基本土台フレームから法尻方向又は法肩方向に沿って一つ又は複数の傾斜方向の土台フレームを順次連結し、更に上記基本土台フレームと上記各傾斜方向の土台フレームから水平方向に沿って一つ又は複数の水平方向の土台フレームを順次連結し、次いで上記基本土台フレームと上記傾斜方向の土台フレームと上記水平方向の土台フレームの一部又は全部に縦支柱を起立させ、更に対向する上記縦支柱間に布地や補強材を連結することを特徴とするものである。これらの各手段において、上記基本土台フレームを法肩の角に起立させ、上記基本土台フレームから法尻に向けて傾斜方向の土台フレームを一つ又は複数連結させるのが好ましい。
同じく、上記基本土台フレームを法尻の角に起立させ、上記基本土台フレームから法肩に向けて傾斜方向の土台フレームを一つ又は複数連結させても良い。
【発明の効果】
【０００６】
各請求項の発明によれば、上段側及び下段側一対の門型フレームと、上記各門型フレーム間に着脱自在に架設した左右一対のサイドフレームとからなる立体状の基本土台フレームを法面の任意の位置に起立させているから、この基本土台フレームがあらかじめ法面上に支保工の土台として安定して固定される。
したがって、この基本土台フレームを構成するフレームを一本づつ作業者が支えておかなくても他の傾斜方向の土台フレームや水平方向の土台フレームを簡単に連結できるから、基本土台フレームを支える作業者が不要となるばかりでなく、少ない人数であっても足場の組立作業のスピードアップを図れ、作業効率の向上を図れる。
特に、基本土台フレームに対する他の傾斜方向及び水平方向の土台フレームを構成する門型フレームやサイドフレームのレベルの設定、位置合わせを簡単に行うことが出来、これらを構成する単一の支柱やフレームを振り回すこともないので作業の安全性を図れる。
【図面の簡単な説明】
【０００７】
【図１】Ａ）法面上に基本土台フレームを起立させる最初の工程を示す側面図である。Ｂ）基本土台フレームに傾斜方向の土台フレームを連結する状態を示す斜視図である。
【図２】Ａ）、Ｂ）、Ｃ）、Ｄ）は法肩から法尻に向けて基本土台フレームと傾斜方向の土台フレームと水平方向の土台フレームを組み立てる工程を示す斜視図である。
【図３】Ａ）、Ｂ）、Ｃ）、Ｄ）は法尻から法肩に向けて基本土台フレームと傾斜方向の土台フレームと水平方向の土台フレームを組み立てる工程を示す一実施の形態に係る斜視図である。
【図４】Ａ）、Ｂ）、Ｃ）、Ｄ）は法尻から法肩に向けて基本土台フレームと傾斜方向の土台フレームと水平方向の土台フレームを組み立てる工程を示す他の実施の形態に係る斜視図である。
【図５】Ａ）基本土台フレームから法尻方向に向けて傾斜方向の土台フレームを連結し、基本土台フレームと傾斜方向の土台フレームに水平方向の土台フレームを連結する組立工程を示す平面図である。Ｂ）基本土台フレームから法尻方向に向けて傾斜方向の土台フレームを連結し、これらの土台フレームに縦支柱と布地と補強材を法尻方向に向けて起立させる組立工程を示す側面図である。
【図６】Ａ）基本土台フレームから法肩方向に向けて傾斜方向の土台フレームを連結し、基本土台フレームと傾斜方向の土台フレームに水平方向土台フレームを連結する組立工程を示す平面図である。Ｂ）基本土台フレームから法肩方向に向けて傾斜方向の土台フレームを連結し、これらの土台フレームに縦支柱と布地と補強材を法肩方向に向けて組立組立工程を示す側面図である。
【図７】基本土台フレームとこれに連結する傾斜方向の土台フレームの斜視図である。
【図８】基本土台フレームの斜視図である。
【図９】基本土台フレームの平面図である。
【図１０】図９の側面図である。
【図１１】傾斜方向の土台フレームの斜視図である。
【図１２】傾斜方向の土台フレームの平面図である。
【図１３】図１２の側面図である。
【図１４】Ａ）サイドフレームの平面図である。Ｂ）サイドフレームの側面図である。
【図１５】Ａ）支柱に取付けたフランジと下向きの支持片の側面図である。Ｂ）同正面図である。Ｃ）同平面図である。
【図１６】Ａ）支柱に取付けたフランジと上向きの支持片の側面図である。Ｂ）同正面図である。Ｃ）同平面図である。
【図１７】楔と連結片の側面図である。
【図１８】Ａ）傾斜方向の土台フレームにおけるサイドフレームの短縮状態の側面図である。Ｂ）傾斜方向の土台フレームにおけるサイドフレームの中間伸長状態の側面図である。Ｃ）傾斜方向の土台フレームにおけるサイドフレームの最伸長状態の側面図である。
【図１９】他の実施の形態に係る楔と連結片の側面図である。
【図２０】Ａ）傾斜方向の土台フレームにおける他の実施の形態に係るサイドフレームの短縮状態の側面図である。Ｂ）傾斜方向の土台フレームにおける同サイドフレームの中間伸長状態の側面図である。Ｃ）傾斜方向の土台フレームにおける同サイドフレームの最伸長状態の側面図である。
【図２１】止めピンの拡大側面図である。
【図２２】Ａ）法面に基本土台用の支柱を最初に起立させる従来の工程を示す側面図である。Ｂ）基本土台用の支柱に傾斜方向の土台用の支柱を連結させる従来の工程を示す側面図である。
【発明を実施するための形態】
【０００８】
以下本発明の実施の一例を図に基づいて説明する。
【０００９】
本発明は公知のように山岳や丘の傾斜面、道路脇の傾斜面等における法面の工事、例えば、コンクリート等で地盤を補強して土砂の崩落を防止し、あるいは地盤表面に網を展張して落石を防止し、あるいは崩れた法面の補修、復旧をする工事に適用される足場の組立方法に関するものである。
【００１０】
本発明の実施の一例に係る法面用の足場は図５（Ａ）、（Ｂ）又は図６（Ａ）、（Ｂ）に示すように、基本土台フレーム６と、この基本土台フレーム６から傾斜方向に沿って連続的に接続した傾斜方向の複数の土台フレームＥ１、Ｅ２、Ｅ３・・・Ｅｎと、基本土台フレーム６と傾斜方向の土台フレームＥ１、Ｅ２、Ｅ３・・・Ｅｎから水平方向に沿って接続した水平方向の土台フレームＦ１、Ｆ２、Ｆ３・・・Ｆｎと、各土台フレーム６、Ｅ１、Ｆ１上に連結した縦支柱Ｇ等の支保工と、縦支柱Ｇ上に配置した作業床とから構成される。
【００１１】
そして、本発明は特に上記基本土台フレーム６と、各傾斜方向の土台フレームＥ１、Ｅ２、Ｅ３・・・Ｅｎと、各水平方向の土台フレームＦ１、Ｆ２、Ｆ３・・・Ｆｎの組立方法に特徴がある。
【００１２】
本発明の足場の組立の基本工程は、次の通りである。
【００１３】
すなわち、図１（Ａ）に示すように法面Ｔの任意の位置、例えば、法肩の角、又は法尻の角に作業者が基本土台フレーム６を組み付けて起立して固定しておく。
【００１４】
そして、例えば、図１（Ｂ）に示すように、この基本土台フレーム６から傾斜方向の土台フレームＥ１、Ｅ２、Ｅ３・・・Ｅｎを傾斜方向に沿って連結して固定し、次いでこれらの基本土台フレーム６と傾斜方向の土台フレームＥ１，Ｅ２、Ｅ３・・・Ｅｎに水平方向の土台フレームＦ１，Ｆ２、Ｆ３・・・Ｆｎを水平方向に沿って連結して固定するものである。
【００１５】
本発明の一実施の形態に係る足場の組立方法は、図２（Ａ）、（Ｂ）、（Ｃ）、（Ｄ）及び図５（Ａ）、（Ｂ）に示すように、法面Ｔの法肩Ｘにおける角に基本土台フレーム６を予め起立しておき、この基本土台フレーム６を中心にして法尻方向と水平方向に向けて他の傾斜方向の土台フレームＥ１、Ｅ２、Ｅ３・・・Ｅｎと水平方向の土台フレームＦ１、Ｆ２、Ｆ３・・・Ｆｎを連結するものである。
【００１６】
すなわち、図２（Ａ）に示すように先ず法肩Ｘの角に基本土台フレーム６をジャッキベース７を介して起立しておく。
【００１７】
次に、図２（Ｂ）に示すように、法面Ｔにジャッキベース７を起立し、このジャッキベース７に挿入した傾斜方向の土台フレームＥ１をサイドフレームＤ１，Ｄ２を介して基本土台フレーム６に連結し、次いで、図２（Ｃ）に示すように他の傾斜方向の土台フレームＥ２、Ｅ３・・・Ｅｎを法尻Ｙ方向に向けて順次接続する。
【００１８】
次いで、図２（Ｄ）に示すように基本土台フレーム６と各傾斜方向の土台フレームＥ１、Ｅ２、Ｅ３・・・Ｅｎに水平方向の土台フレームＦ１、Ｆ２、Ｆ３・・・Ｆｎを連結する。
【００１９】
この場合、水平方向の土台フレームＦ１、Ｆ２、Ｆ３・・・Ｆｎは、例えば、多孔のフランジを備えた支柱と、フランジに楔やブラケットを介して連結した水平な単管で構成されている。
【００２０】
図３は本発明の他の実施の形態に係る法面の足場の組立方法を示す。
【００２１】
この実施の形態は、法尻Ｙの角に基本土台フレーム６をジャッキベース７を介して起立しておき、この基本土台フレーム６に傾斜方向の土台フレームＥ１、Ｅ２、Ｅ３・・・Ｅｎを法肩Ｘ方向に沿って連結するものである。
【００２２】
要するに、図３の実施の形態は各土台フレームの連結方向を図２の実施の形態と逆にしたものである。
【００２３】
従って、足場の構成部材も両者同一である。異なるのは、図２、図３から分かるように、傾斜方向の土台フレームＥ１、Ｅ２、Ｅ３・・・Ｅｎの向きが上下逆になっているだけである。
【００２４】
図４は本発明の他の実施の形態に係り、これは基本土台フレーム６を法尻Ｙの角に起立し、この基本土台フレーム６の上方にこの基本土台フレーム６と同じ構造の傾斜方向の土台フレームＥ１、Ｅ２、Ｅ３・・・Ｅｎを傾斜方向に沿って順次連結するものである。
【００２５】
即ち、図４（Ａ）に示すように先ず法尻Ｙの角に基本土台フレーム６をジャッキベース７を介して起立しておく。
【００２６】
次に、図４（Ｂ）に示すように、法面Ｔに基本土台フレーム６に対向する上側位置にジャッキベース７を起立する。次に、このジャッキベース７と基本土台フレーム６の支柱１とにそれぞれ傾斜方向の土台フレームＥ１の支柱１をそれぞれ差し込んで傾斜方向の土台フレームＥ１、Ｅ２、Ｅ３・・・Ｅｎを法肩Ｘ方向に向けて順次接続する。
【００２７】
次いで、図４（Ｄ）に示すように基本土台フレーム６と各傾斜方向の土台フレームＥ１、Ｅ２、Ｅ３・・・Ｅｎに水平方向の土台フレームＦ１、Ｆ２、Ｆ３・・・Ｆｎを連結する。
【００２８】
この場合、基本土台フレーム６を法尻Ｙ側に設けたが、これを図２に示すように法肩Ｘ側に設けて置いても良い。
【００２９】
更に本発明の実施の形態を詳しく説明する。
【００３０】
図５（Ａ）、（Ｂ）に示す一実施の形態に係る足場の組立方法は、上記図２の工程に対応するものである。
【００３１】
これは、法肩Ｘたる上段側と法尻Ｙたる下段側との一対の門型フレームＡ、Ｂと、上記各門型フレームＡ、Ｂ間に着脱自在に架設した左右一対のサイドフレームＣ、Ｄとからなる立体状の基本土台フレーム６を法面Ｔの法肩Ｘの角に起立させる工程と、基本土台フレーム６を中心にして当該基本土台フレーム６から法尻Ｙ方向に沿って一つ又は複数の傾斜方向の土台フレームＥ１、Ｅ２、Ｅ３・・・Ｅｎを順次連結する工程と、更に上記基本土台フレーム６と上記各傾斜方向の土台フレームＥ１、Ｅ２、Ｅ３・・・Ｅｎから水平方向に沿って一つ又は複数の水平方向の土台フレームＦ１、Ｆ２、Ｆ３・・・Ｆｎを順次連結する工程とからなるものである。
【００３２】
図６（Ａ）、（Ｂ）に示す他の実施の形態に係る足場の組立方法は、上記図４に示す工程に対応するものである。
【００３３】
これは、法肩Ｘたる上段側と法尻Ｙたる下段側との一対の門型フレームＡ、Ｂと、上記各門型フレームＡ、Ｂ間に着脱自在に架設した左右一対のサイドフレームＣ、Ｄとからなる立体状の基本土台フレーム６を法面Ｔの法尻Ｙの角に起立させる工程と、基本土台フレーム６を中心にして当該基本土台フレーム６から法肩Ｘ方向に沿って一つ又は複数の傾斜方向の土台フレームＥ１、Ｅ２、Ｅ３・・・Ｅｎを順次連結する工程と、更に上記基本土台フレーム６と上記各傾斜方向の土台フレームＥ１、Ｅ２、Ｅ３・・・Ｅｎから水平方向に沿って一つ又は複数の水平方向の土台フレームＦ１、Ｆ２、Ｆ３・・・Ｆｎを順次連結する工程とからなるものである。
【００３４】
そして、上記各実施の形態においては、図５（Ｂ）、図６（Ｂ）に示すように、更に上記基本土台フレーム６と上記傾斜方向の土台フレームＥ１、Ｅ２、Ｅ３・・・Ｅｎと上記水平方向の土台フレームＦ１、Ｆ２、Ｆ３・・・Ｆｎの一部又は全部に縦支柱Ｇを起立させ、次いで、対向する縦支柱Ｇ、Ｇ間に水平方向の布地Ｊと斜め方向の斜材やブレースからなる他の補強材Ｋを連結して支保工を構築する。
【００３５】
公知のように、作業用の作業床は支保工の上に敷設し、作業床上を作業者が歩行し、あるいは作業床上に作業機械や機材を置くようにしている。
【００３６】
上記基本土台フレーム６は、図７〜図１１に示すように、法肩側たる上段側の門型フレームＡと法尻側たる下段側門型フレームＢと、上記各門型フレームＡ、Ｂ間に着脱自在に架設した左右一対のサイドフレームＣ、Ｄとで構成している。
【００３７】
上記傾斜方向の土台フレームＥ１、Ｅ２、Ｅ３・・・Ｅｎは、同じく図７、図１１〜図１３に示すように、下段側の門型フレームＨと、門型フレームＨの両側に設けられて基本土台フレーム６方向に延びる左右一対のサイドフレームＤ１、Ｄ１とで構成されている。
【００３８】
図５の実施の形態の場合、上側一段目の傾斜方向の土台フレームＥ１は上側の基本土台フレーム６の門型フレームＢにサイドフレームＣ、Ｄを介して連結される。そして、二段目以降の傾斜方向の土台フレームＥ２は上側の土台フレームＥ１に、三段目の傾斜方向の土台フレームＥ３は二段目の傾斜方向の土台フレームＥ２に順次接続され、以下この工程を繰り返して接続される。
【００３９】
これに対して、図６の実施の形態の場合は、下側一段目の傾斜方向の土台フレームＥ１は下側の基本土台フレーム６に連結され、二段目の傾斜方向の土台フレームはＥ２は一段目の傾斜方向の土台フレームＥ１に接続される。
【００４０】
基本土台フレーム６と傾斜方向の土台フレームＥ１，Ｅ２、Ｅ３・・・Ｅｎは同一構造に成形されている。
【００４１】
言い換えれば、この傾斜方向の土台フレームＥ１，Ｅ２、Ｅ３・・・Ｅｎは図７に示す基本土台フレーム６と同じ構造を採用している。
【００４２】
そして、一段目の傾斜方向の土台フレームＥ１の上下の支柱１、１はそれぞれ基本土台フレーム６の支柱に１と上段側のジャッキベース７に差し込まれる。
【００４３】
従って、二段目の傾斜方向の土台フレームＥ２の上下の支柱１、１は下側の傾斜方向の土台フレームＥ１における支柱１と上段側に起立するジャッキベース７にそれぞれ挿入される。
【００４４】
基本土台フレーム６における門型フレームＡ、Ｂと、傾斜方向の土台フレームＥ１、Ｅ２、Ｅ３・・・Ｅｎの門型フレームＨは、図７に示すように、左右一対のジャッキベース７、７上に抜き差し自在に挿入した支柱１、１と、各支柱１、１間に架設した水平材２とで構成している。
【００４５】
上記基本土台フレーム６の各サイドフレームＣ、Ｄは図７〜図１０、図１４に示すように、アウターチューブ３Ａと、アウターチューブ３Ａ内に伸縮自在に挿入したインナーチューブ３Ｂと、アウターチューブ３Ａの先端に設けた第１のブラケット４と、インナーチューブ３Ｂの基端に設けた第２のブラケット５とで構成されている。
【００４６】
各ブラケット４、５はそれぞれ二股の支持片４Ａ、５Ａで形成され、アウターチューブ３Ａとインナーチューブ３Ｂにはそれぞれ孔４Ｂ、５Ｂが穿設されており、各支持片４Ａ、５Ａにも孔４Ｃ、４Ｄ、５Ｃ、５Ｄがそれぞれ穿設されている。
【００４７】
上記の孔４Ｂ、５Ｂのいずれかに図２１に示すピン１６を差し込んでこのピン１６の差し込み位置に応じてサイドフレームＣ、Ｄの長さを調節している。
【００４８】
孔４Ｃ、４Ｄ、５Ｃ、５ＤはサイドフレームＣ、Ｄを門型フレームＡ、Ｂにおける支柱１に連結させるものである。
即ち、基本土台フレーム６の上段側及び下段側門型フレームＡ、Ｂにおける支柱１の外周に円周方向に沿って複数の係止孔１１を形成したフランジ１０をそれぞれ設けている。
又、門型フレームＡ、Ｂの各フランジ１０にそれぞれ支持片８、９を取付け、各支持片８、９にそれぞれ上記第１、第２のブラケット４、５を回転自在に枢着させている。
一方の支持片８は図１５に示すように水平片８ａと、水平片８ａから一体に延びる下向きの扇型耳片８ｂと、水平片８ａに穿設した孔８ｄと、扇型耳片８ｂに時計回りの方向に沿って形成した複数の係止孔８ｃとで構成されている。
同じく、他方の支持片９は図１６に示すように、水平片９ａと、水平片９ａから一体に延びる上向きの扇型耳片９ｂと、水平片９ａに穿設した孔９ｄと、扇型耳片９ｂに反時計回りの方向に沿って形成した複数の係止孔９ｃとで構成されている。
そして、図９、図１０に示すように、サイドフレームＣ、Ｄにおけるブラケット４を上記孔４Ｃと孔８ｄに、ブラケット５を孔５Ｃと孔９ｄに差し込んだ軸たるピン１４、１５を介して各支持片８、９に回転自在に枢支している。
更に、孔４Ｄと係止孔８ｃに上方のピン１６を差し込み、同じく孔５Ｄと係止孔９ｃに下方のピン１６を差し込むようにしている。
この場合、例えば、図１、図２に示すように、上段側の門型フレームＡに対して下段側の門型フレームＢが傾斜面の下方に位置するから各サイドフレームＣ、Ｄが傾斜する。
この為、上方のピン１６は複数の係止孔８ｃのうち傾斜角度に応じて下側のいずれか一つの係止孔８ｃに挿入し、下方のピン１６は複数の係止孔９ｃのうち傾斜角度に応じて上側のいずれら一つの係止孔９ｃに挿入し、各サイドフレームＣ、Ｄの角度を固定するようにしている。
次に、上記傾斜方向の土台フレームＥ１、Ｅ２、Ｅ３・・・ＥｎのサイドフレームＤ１、Ｄ１を説明すると、これらは図７、図１１〜図１３に示すように、アウターチューブ３Ａと、アウターチューブ３Ａ内に伸縮自在に挿入したインナーチューブ３Ｂと、アウターチューブ３Ａの先端に設けた第１のブラケット４と、インナーチューブ３Ｂの基端に設けた第２のブラケット５と、第１のブラケット４の端部にピン１４を介して枢着した連結片１８と、この連結片１８に取付けた楔１２とで構成されている。
基本土台フレーム６の上段側及び下段側門型フレームＡ、Ｂにおける支柱１と傾斜方向の土台フレームＥ１、Ｅ２、Ｅ３・・・Ｅｎの門型フレームＨにおける支柱１の外周には上記したように円周方向に沿って複数の係止孔１７を形成したフランジ１０をそれぞれ設けている。
そして、傾斜方向の土台フレームＥ１、Ｅ２、Ｅ３・・・Ｅｎにおける門型フレームＨのフランジ１０に上向きの支持片９を取付け、この支持片９に上記第２のブラケット５を回転自在に枢着させ、上記楔１２を上記下段側門型フレームＢのフランジ１０の係止孔１７に嵌合させている。
楔１２は図１７に示すように連結片１８に連結したソケット１２Ｂとこのソケット１２Ｂに挿入した楔片１２Ａとからなり、ソケット１２Ｂには水平方向に沿って割溝１２Ｃが形成されている。
連結片１８には外周側の複数の係止孔１８Ａと、基端側の孔１８Ｂとが形成され、いずれかの係止孔１８Ａにはピン１６を選択的に差し込み、孔１８Ｂにはピン１４を差し込むようにしている。
【００４９】
そして、ソケット１２Ｂの割溝１２Ｃをフランジ１０に嵌合し、このソケット１２Ｂからフランジ１０の係止孔１７に楔片１２Ａを圧入してサイドフレームＤ１を上段側に位置するフランジ１０に結合するようになっている。
なお、図２に示すように、傾斜方向の土台フレームＥ１、Ｅ２、Ｅ３・・・Ｅｎを順次法尻Ｙ方向に向けて配置すると法面Ｔの角度に応じて下側の門型フレームＨにおける支柱１の高さがまちまちとなり、サイドフレームＤ１の長さと角度を調整する必要がある。
そこで、図１８（Ａ）、（Ｂ）、（Ｃ）に示すように、下方の支柱１の高さに応じてサイドフレームＤ１を伸長させる。
併せて、ブラケット４の孔４Ｄを連結片１８のいずれか一つの係止孔１８Ａに位置合わせし、同じくブラケット５の孔５Ｃを支持片９のいずれか一つの孔９Ｃに位置合わせし、これらの孔にそれぞれピン１６を差し込んでサイドフレームＤ１の長さと角度を調整するようにしている。
図１９及び図２０は本発明の他の実施の形態に係る楔１２と傾斜方向の土台フレームＥ１、Ｅ２、Ｅ３・・・ＥｎのサイドフレームＤ１の他の実施の形態を示す。
これらの楔１２、サイドフレームＤ１は図３に示す実施の形態のように、基本土台フレーム６を法尻Ｙ側に起立し、これに傾斜方向の土台フレームＥ１、Ｅ２、Ｅ３・・・Ｅｎを順次法肩Ｘ方向に連結する場合の使用に適するものであるが、図２の実施の形態にも使用できることは言うまでもない。
サイドフレームＤ１は、これらは図１１〜図１３に示すように、アウターチューブ３Ａと、アウターチューブ３Ａ内に伸縮自在に挿入したインナーチューブ３Ｂと、アウターチューブ３Ａの先端に設けた第１のブラケット４と、インナーチューブ３Ｂの基端に設けた第２のブラケット５と、第１のブラケット４の端部にピンを介して枢着した連結片１８と、この連結片１８に取付けた楔１２とで構成されている。
基本土台フレーム６の上段側及び下段側門型フレームＡ、Ｂにおける支柱１と傾斜方向の土台フレームＥ１、Ｅ２、Ｅ３・・・Ｅｎの門型フレームＨにおける支柱１の外周には上記したように円周方向に沿って複数の係止孔１７を形成したフランジ１０をそれぞれ設けている。
楔１２は図１９に示すように扇型の連結片１８に連結したソケット１２Ｂとこのソケット１２Ｂに挿入した楔片１２Ａとからなり、ソケット１２Ｂには水平方向に沿って割溝１２Ｃが形成されている。
連結片１８には外周側の複数の係止孔１８Ａと、基端側の孔１８Ｂとが形成され、いずれかの係止孔１８Ａにはピン１６を選択的に差し込み、孔１８Ｂにはピン１４を差し込むようにしている。
係止孔１８Ａは図１７、図１８に示す係止孔１８Ａに比べて円周方向に多数形成されている。
同様に支持片９も扇形に形成され、この支持片９に形成した係止孔９Ｃも図１８に示す係止孔９Ｃに比べて円周方向に沿って多数形成されている。
【００５０】
楔１２においては、ソケット１２Ｂの割溝１２Ｃをフランジ１０に嵌合し、このソケット１２Ｂからフランジ１０の係止孔１７に楔片１２Ａを圧入してサイドフレームＤ１を下段側に位置するフランジ１０に結合するようになっている。
なお、図３に示すように、傾斜方向の土台フレームＥ１、Ｅ２、Ｅ３・・・Ｅｎを順次法肩Ｘ方向に向けて配置すると法面Ｔの角度に応じて上側の門型フレームＨにおける支柱１の高さがまちまちとなり、サイドフレームＤ１の長さと角度を調整する必要がある。
そこで、図１８（Ａ）、（Ｂ）、（Ｃ）に示すように、上方の支柱１の高さに応じてサイドフレームＤ１を伸長させる。
併せて、ブラケット４の孔４Ｄを連結片１８のいずれか一つの係止孔１８Ａに位置合わせし、同じくブラケット５の孔５Ｃを支持片９のいずれか一つの孔９Ｃに位置合わせし、これらの孔にそれぞれピン１６を差し込んでサイドフレームＤ１の長さと角度を調整するようにしている。
ピン１６は図２１に示すように、鎖１６Ａに結合したＬ型のピン本体１６Ｂと、ピン本体１６Ｂに形成した割溝１６Ｅ内に軸１６Ｄを介して回転自在に基端を軸支した頭部１６Ｃとで構成され、鎖１６ＡをサイドフレームＣ、Ｄ、Ｄ１にそれぞれ結合しておき、頭部１６Ｃを孔４Ｃ等に挿入するものである。
【符号の説明】
【００５１】
Ａ、Ｂ、Ｈ  門型フレーム
Ｃ，Ｄ、Ｄ１  サイドフレーム
Ｅ１、Ｅ２、Ｅ３・・・Ｅｎ  傾斜方向の土台フレーム
Ｆ１、Ｆ２、Ｆ３・・・Ｆｎ  水平方向の土台フレーム
Ｇ  縦支柱
Ｊ  布地
Ｋ  補強材
Ｔ  法面
Ｘ  法肩
Ｙ  法尻
１  支柱
２  水平材
３Ａ  アウターチューブ
３Ｂ  インナーチューブ
４  第１のブラケット
５  第２のブラケット
６  基本土台フレーム
７  ジャッキベース
８、９  支持片
１０  フランジ
１２  楔
１６  ピン
１７  係止孔
１８  連結片
【図１】
0006706093.tif 000002
【図２】
0006706093.tif 000003
【図３】
0006706093.tif 000004
【図４】
0006706093.tif 000005
【図５】
0006706093.tif 000006
【図６】
0006706093.tif 000007
【図７】
0006706093.tif 000008
【図８】
0006706093.tif 000009
【図９】
0006706093.tif 000010
【図１０】
0006706093.tif 000011
【図１１】
0006706093.tif 000012
【図１２】
0006706093.tif 000013
【図１３】
0006706093.tif 000014
【図１４】
0006706093.tif 000015
【図１５】
0006706093.tif 000016
【図１６】
0006706093.tif 000017
【図１７】
0006706093.tif 000018
【図１８】
0006706093.tif 000019
【図１９】
0006706093.tif 000020
【図２０】
0006706093.tif 000021
【図２１】
0006706093.tif 000022
【図２２】
0006706093.tif 000023